(57)【要約】【課題】輝度ムラ及び色ムラが低減された黒色をユーザに提示することのできる表示装置を提供する。【解決手段】本発明の一態様に係るテレビ１０は、入力画像データに所定の階調以下の階調値が所定の割合以上含まれており、環境照度が所定の照度以下であるときに、階調値を、ＬＣＤ１１５の法線方向と、ＬＣＤ１１５からリモコン３０への方向とのなす角度に応じて増大させる黒レベル補正指示部１３２と、階調値の増大分を相殺させるようにバックライト１１６の輝度を低下させるバックライト制御部１３３と、を備えている。【選択図】図１
2013242491.tif 000002
【特許請求の範囲】
【請求項１】
遠隔制御装置によって操作される表示装置であって、
周囲の照度を検出する照度検出手段と、
ディスプレイの法線方向と、当該ディスプレイを基点とする遠隔制御装置の方向との水平方向に沿ったなす角度を検出する角度検出手段と、
入力画像データに所定の階調以下の階調値が所定の割合以上含まれており、上記周囲の照度が所定の照度以下であるときに、当該所定の階調以下の階調値を、上記角度に応じて増大させる階調値補正手段と、
上記階調値補正手段による階調値の増大分を相殺させるように、バックライトの輝度を低下させるバックライト制御手段と、を備えている、
ことを特徴とする表示装置。
【請求項２】
上記階調値補正手段による階調値の増大分は、上記角度が大きいほど大きい、
ことを特徴とする請求項１に記載の表示装置。
【請求項３】
上記階調値補正手段による階調値の増大分は、上記周囲の照度が低いほど大きい、
ことを特徴とする請求項１又は２に記載の表示装置。
【請求項４】
上記遠隔制御装置は、発光部を複数備えており、
当該表示装置は、
上記複数の発光部の間の距離を示す情報を取得する取得手段と、
上記遠隔制御装置を撮像して得られた画像データから上記複数の発光部を識別する識別手段と、
上記取得手段によって取得された上記複数の発光部の間の距離を示す情報と、上記識別手段によって識別された上記複数の発光部とに基づいて、上記ディスプレイから上記遠隔制御装置までの距離を算出する距離算出手段と、を備えており、
上記階調値補正手段による階調値の増大分は、上記ディスプレイから上記遠隔制御装置までの距離が大きいほど大きい、
ことを特徴とする請求項１から３の何れか１項に記載の表示装置。
【請求項５】
上記階調値補正手段による階調値の増大分は、平均輝度レベルの値が小さいほど大きい、
ことを特徴とする請求項１から４の何れか１項に記載の表示装置。
【請求項６】
遠隔制御装置によって操作される表示装置の階調値補正方法であって、
周囲の照度を検出する照度検出ステップと、
ディスプレイの法線方向と、当該ディスプレイを基点とする遠隔制御装置の方向との水平方向に沿ったなす角度を検出する角度検出ステップと、
入力画像データに所定の階調以下の階調値が所定の割合以上含まれており、上記周囲の照度が所定の照度以下であるときに、当該所定の階調以下の階調値を、上記角度に応じて増大させる階調値補正ステップと、
上記階調値補正ステップにおける階調値の増大分を相殺させるように、バックライトの輝度を低下させるバックライト制御ステップと、を含んでいる、
ことを特徴とする階調値補正方法。
【請求項７】
請求項１から５の何れか１項に記載の表示装置の各手段を備えている、
ことを特徴とするテレビジョン受像機。
【請求項８】
コンピュータを請求項１から５の何れか１項に記載の表示装置として動作させるためのプログラムであって、上記コンピュータを上記表示装置の各手段として機能させるプログラム。
【請求項９】
請求項８に記載のプログラムが記録されているコンピュータ読み取り可能な記録媒体。
【発明の詳細な説明】
【技術分野】
【０００１】
本発明は、遠隔制御装置によって操作される表示装置、及び表示装置の階調値補正方法に関する。また、表示装置を備えたテレビジョン受像機、表示装置としてコンピュータを動作させるためのプログラム、及び、そのようなプログラムが記録されている記録媒体に関する。
【背景技術】
【０００２】
近年、液晶パネルを備えたテレビジョン受像機（テレビ）が広く利用されるようになってきている。また、このようなテレビには、液晶パネルの光源としてＬＥＤバックライトが備えられていることが一般的である。
【０００３】
このようなテレビにおいては、バックライトの光が液晶パネルから漏れてしまう、いわゆる光漏れが生じてしまうという問題がある。特に、ユーザがテレビを視聴する際の周囲の明るさが暗い場合に液晶パネル全体に黒表示が行われると、光漏れが目立つようになり、視野角特性の低下、輝度ムラ、及び、色ムラなどが発生してしまう。
【０００４】
また、テレビを斜め方向から視聴している場合に液晶パネル全体に黒表示が行われるときにも、輝度ムラ、及び色ムラなどが生じてしまう。
【０００５】
特許文献１には、液晶表示素子に対する視野角を検出する視野角検出手段と、視野角検出手段の検出結果に基づいて選択されたガンマ補正データに基づきガンマ補正を行うガンマ補正手段とを備えた液晶表示装置が開示されている。これによって、特許文献１は、液晶表示素子の正面からずれた方向から視聴した場合であっても、コントラストの低下、白黒反転現象のない表示画像を実現している。
【先行技術文献】
【特許文献】
【０００６】
【特許文献１】特開平１０−３０１０９２号公報（１９９８年１１月１３日公開）
【発明の概要】
【発明が解決しようとする課題】
【０００７】
しかし、特許文献１に記載の液晶表示装置では、コントラストの低下、及び白黒反転現象を防ぐことができるものの、依然として、表示される画像の表す黒色の色ムラを低減させることができないという問題があった。
【０００８】
本発明は、上記の課題を解決するためになされたものであり、その主たる目的は、輝度ムラ及び色ムラが低減された黒色をユーザに提示することのできる表示装置を提供することにある。
【課題を解決するための手段】
【０００９】
本発明の一態様に係る表示装置は、上記の課題を解決するために、遠隔制御装置によって操作される表示装置であって、周囲の照度を検出する照度検出手段と、ディスプレイの法線方向と、当該ディスプレイを基点とする遠隔制御装置の方向との水平方向に沿ったなす角度を検出する角度検出手段と、入力画像データに所定の階調以下の階調値が所定の割合以上含まれており、上記周囲の照度が所定の照度以下であるときに、当該所定の階調以下の階調値を、上記角度に応じて増大させる階調値補正手段と、上記階調値補正手段による階調値の増大分を相殺させるように、バックライトの輝度を低下させるバックライト制御手段と、を備えている、ことを特徴としている。
【００１０】
本発明の一態様に係る表示装置の階調値補正方法は、遠隔制御装置によって操作される表示装置の階調値補正方法であって、周囲の照度を検出する照度検出ステップと、ディスプレイの法線方向と、当該ディスプレイを基点とする遠隔制御装置の方向との水平方向に沿ったなす角度を検出する角度検出ステップと、入力画像データに所定の階調以下の階調値が所定の割合以上含まれており、上記周囲の照度が所定の照度以下であるときに、当該所定の階調以下の階調値を、上記角度に応じて増大させる階調値補正ステップと、上記階調値補正ステップにおける階調値の増大分を相殺させるように、バックライトの輝度を低下させるバックライト制御ステップと、を含んでいる、ことを特徴としている。
【００１１】
上記の構成によれば、上記階調値補正手段は、上記所定の階調以下の階調で表される色である黒色が上記入力画像データの上記所定の割合以上含まれている場合に、当該所定の階調以下の階調を上記角度に応じて増大させる補正を行う。ここで、上記遠隔制御装置はユーザによって操作されるため、上記ディスプレイの法線方向と、当該ディスプレイを基点とする遠隔制御装置の方向との水平方向に沿ったなす角度は、上記ディスプレイの法線方向と、当該ディスプレイを基点とするユーザの方向との水平方向に沿ったなす角度（ユーザ角度とも記載する）を示している。
【００１２】
したがって、上記階調値補正手段は、ユーザが上記ディスプレイを視る角度に応じて、上記ディスプレイに表示される黒色をより均一にすることができるため、上記ディスプレイを斜め方向から視るユーザに対しても、輝度ムラ及び色ムラを低減した黒色を提示することができる。また、上記階調値補正手段は、上記周囲の照度が明るく、輝度ムラ及び色ムラの目立たない場合には上記所定の階調以下の階調の補正を行わないため、輝度ムラ及び色ムラの低減の際に必要な電力が無断に消費されることを防ぐことができる。
【００１３】
また、上記バックライト制御手段は、上記階調値補正手段によって増大した階調値の分だけ増大した輝度を、バックライトの輝度を低下させることによって相殺し、見かけ上の輝度を略同じ適正な輝度にすることができる。これによって、上記表示装置は、輝度ムラ及び色ムラが低減された黒色を適正な輝度でユーザに提示することができる。
【００１４】
また、本発明の一態様に係る表示装置において、上記階調値補正手段による階調値の増大分は、上記角度が大きいほど大きい、ことが好ましい。
【００１５】
上記の構成によれば、上記階調値補正手段は、上記角度が大きくなるにつれて顕著になる黒色の輝度ムラ及び色ムラを、より効率的に低減することができる。
【００１６】
また、本発明の一態様に係る表示装置において、上記階調値補正手段による階調値の増大分は、上記周囲の照度が低いほど大きい、ことが好ましい。
【００１７】
上記の構成によれば、上記階調値補正手段は、上記周囲の照度が低くなるにつれて顕著になる黒色の輝度ムラ及び色ムラを、より効率的に低減することができる。
【００１８】
また、本発明の一態様に係る表示装置において、上記遠隔制御装置は、発光部を複数備えており、当該表示装置は、上記複数の発光部の間の距離を示す情報を取得する取得手段と、上記遠隔制御装置を撮像して得られた画像データから上記複数の発光部を識別する識別手段と、上記取得手段によって取得された上記複数の発光部の間の距離を示す情報と、上記識別手段によって識別された上記複数の発光部とに基づいて、上記ディスプレイから上記遠隔制御装置までの距離を算出する距離算出手段と、を備えており、上記階調値補正手段による階調値の増大分は、上記ディスプレイから上記遠隔制御装置までの距離が大きいほど大きい、ことが好ましい。
【００１９】
上記の構成によれば、上記階調値補正手段は、上記ディスプレイから上記遠隔制御装置までの距離が遠くなるにつれて顕著になる黒色の輝度ムラ及び色ムラを、より効率的に低減することができる。
【００２０】
上記階調値補正手段による階調値の増大分は、平均輝度レベルの値が小さいほど大きい、ことが好ましい。
【００２１】
上記の構成によれば、上記階調値補正手段は、上記平均輝度レベルの値が小さくなるにつれて、つまり、入力画像データの表す画像全体の色が暗くなるにつれて顕著になる黒色の輝度ムラ及び色ムラを、より効率的に低減することができる。
【００２２】
なお、上記表示装置の各手段を備えているテレビジョン受像機も本発明の範疇に含まれる。
【００２３】
また、本発明の目的は、コンピュータを上記録画再生装置として動作させるためのプログラムによっても達成することができる。そして、そのようなプログラム自体のみならず、そのようなプログラムが記録されているコンピュータ読み取り可能な記録媒体も本発明の範疇に含まれる。
【発明の効果】
【００２４】
本発明の一態様に係る表示装置は、上記の課題を解決するために、遠隔制御装置によって操作される表示装置であって、周囲の照度を検出する照度検出手段と、ディスプレイの法線方向と、当該ディスプレイを基点とする遠隔制御装置の方向との水平方向に沿ったなす角度を検出する角度検出手段と、入力画像データに所定の階調以下の階調値が所定の割合以上含まれており、上記周囲の照度が所定の照度以下であるときに、当該所定の階調以下の階調値を、上記角度に応じて増大させる階調値補正手段と、上記階調値補正手段による階調値の増大分を相殺させるように、バックライトの輝度を低下させるバックライト制御手段と、を備えている、ことを特徴としている。
【００２５】
また、本発明の一態様に係る表示装置の階調値補正方法は、遠隔制御装置によって操作される表示装置の階調値補正方法であって、周囲の照度を検出する照度検出ステップと、ディスプレイの法線方向と、当該ディスプレイを基点とする遠隔制御装置の方向との水平方向に沿ったなす角度を検出する角度検出ステップと、入力画像データに所定の階調以下の階調値が所定の割合以上含まれており、上記周囲の照度が所定の照度以下であるときに、当該所定の階調以下の階調値を、上記角度に応じて増大させる階調値補正ステップと、上記階調値補正手段による階調値の増大分を相殺させるように、バックライトの輝度を低下させるバックライト制御ステップと、を含んでいる、ことを特徴としている。
【００２６】
これによって、上記階調値補正手段は、ユーザが上記ディスプレイを視る角度に応じて、上記ディスプレイに表示される黒色をより均一にすることができるため、上記ディスプレイを斜め方向から視るユーザに対しても、輝度ムラ及び色ムラを低減した黒色を提示することができる。また、上記表示装置は、輝度ムラ及び色ムラが低減された黒色を、適正な輝度でユーザに提示することができる。
【図面の簡単な説明】
【００２７】
【図１】本発明の一実施形態に係る表示システムの構成の概略を示すブロック図である。
【図２】本発明の一実施形態に係るリモコンから送信されるリモコン信号の波形の一例を示す図である。
【図３】本発明の一実施形態に係るリモコンにおけるリモコン信号送信処理の流れを示すフローチャートである。
【図４】本発明の一実施形態に係る表示システムにおけるカメラによって撮像された画像データに含まれるリモコンを模式的に示す図である。
【図５】本発明の一実施形態に係る表示システムにおけるテレビ１０及びリモコン３０と、ユーザ位置との関係を模式的に示す図である。
【図６】本発明の一実施形態に係るテレビの備える制御部におけるユーザ位置検出処理の流れを示すフローチャートである。
【図７】本発明の一実施形態に係る黒制御部において参照される、各条件に対する黒階調補正値を示すグラフである。
【図８】本発明の一実施形態に係る黒制御部において参照される、入力階調に対する輝度値を示すグラフである。
【図９】本発明の一実施形態に係るテレビの備えるＬＣＤに表示される黒画像を示す図である。
【図１０】本発明の一実施形態に係る他の表示システムの概略の一例を示す図である。
【図１１】本発明の一実施形態の変形例に係るカメラによって撮像された画像データに含まれるスマートフォンを模式的に示す図である。
【図１２】本発明の一実施形態の変形例に係る表示システムの概略の一例を示す図である。
【図１３】本発明の一実施形態の変形例に係るスマートフォンにおける、無線信号送信処理の流れを示すフローチャートである。
【発明を実施するための形態】
【００２８】
本発明の一実施形態に係る表示システムについて、図１から図９を参照して以下に説明する。但し、この実施形態に記載されている構成は、特に特定的な記載がない限り、この発明の範囲をそれのみに限定する趣旨ではなく、単なる説明例に過ぎない。
【００２９】
なお、本実施形態では、表示システムを構成する表示装置がテレビジョン受像機によって実現されているため、以降では、テレビと呼称する。また、表示装置を操作する遠隔制御装置がリモートコントローラ（リモコン）によって実現されているため、以降では、リモコンと呼称する。
【００３０】
〔表示システムの構成〕
まず、本実施形態に係る表示システムの構成について、図１を参照して説明する。図１は、本実施形態に係る表示システム１の構成の概略を示すブロック図である。
【００３１】
図１に示すように、表示システム１は、テレビ（表示装置）１０、カメラ２０、及び、リモコン（遠隔制御装置）３０を備えている。
【００３２】
（テレビの構成）
図１に示すように、テレビ１０は、ＵＳＢインターフェース１０１、リモコン受光部（取得手段）１０２、照度センサ１０３、制御部１０４、デジタル放送受信部１０５、ＨＤＭＩインターフェース１０６、入力切替部１０７、フレームメモリ１０８、ヒストグラム解析部１０９、画質演算処理部１１０、映像処理部１１１、検出部１１２、黒制御部１１３、ＬＣＤコントローラ１１４、ＬＣＤ（ディスプレイ）１１５、及び、バックライト１１６を備えている。
【００３３】
ＵＳＢ（Universal Serial Bus）インターフェース１０１は、ＵＳＢ機器をテレビ１０に接続するためのインターフェースである。テレビ１０に接続可能なＵＳＢ機器としては、ＵＳＢケーブルを介して接続されるカメラ２０などを挙げることができる。
【００３４】
リモコン受光部１０２は、リモコン３０から送信されるリモコン信号を受信するための手段である。リモコン受光部１０２は、受信したリモコン信号を制御部１０４に供給する。
【００３５】
照度センサ１０３は、テレビ１０の周囲の照度（以降、環境照度とも呼称する）に応じた電圧を生成する。照度センサ１０３は、生成した、環境照度に応じた電圧を制御部１０４に供給する。
【００３６】
制御部１０４は、テレビ１０の備える各部を制御する。また、リモコン受光部１０２が受信したリモコン信号、カメラ２０が撮像した画像データ、及び、照度センサ１０３から供給される電圧に応じて、テレビ１０の各部を制御する。
【００３７】
なお、リモコン信号に応じた制御としては、後述するように、何れのチャンネルを介して放送される放送番組を受信するかを切り替える制御などを挙げることができる。また、制御部１０４は、カメラ２０における撮像処理を実行する旨を示す撮像指示を、ＵＳＢインターフェース１０１を介してカメラ２０に通知する。
【００３８】
また、制御部１０４は、図１に示すように、画像認識部（識別手段）１４１、ユーザ位置検出部（角度検出手段、距離算出手段）１４２、及び、環境照度判定部１４３を備えている。
【００３９】
画像認識部１４１は、カメラ２０から入力される画像データに基づいて画像認識を行い、認識結果をユーザ位置検出部１４２に供給する。ユーザ位置検出部１４２は、画像認識部１４１から供給される認識結果に基づいて、テレビ１０からユーザまでの距離（ユーザ距離）、及び、テレビ１０に対するユーザの視聴角度（ユーザ角度）を検出する。なお、画像認識部１４１及びユーザ位置検出部１４２における処理の詳細については後述する。
【００４０】
環境照度判定部１４３は、照度センサ１０３から供給される電圧に基づいて、環境照度の値を判定する。
【００４１】
制御部１０４は、ユーザ位置検出部１４２によって検出したユーザ距離及びユーザ角度を示すユーザ位置情報、及び、環境照度判定部１４３によって判定した環境照度とを、黒制御部１１３に供給する。
【００４２】
デジタル放送受信部１０５は、地上デジタル放送、及び、衛星放送などにより各放送局から放送される放送番組を受信するためのチューナである。デジタル放送受信部１０５は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００４３】
なお、デジタル放送受信部１０５が何れのチャンネルを介して伝送される放送番組を受信するかは、制御部１０４により制御されればよい。
【００４４】
ＨＤＭＩ（High-Definition Multimedia Interface）インターフェース１０６は、ＨＤＭＩ規格のインターフェースである。ＨＤＭＩインターフェース１０６は、ＨＤＭＩケーブルを介して接続された機器から伝送されるコンテンツデータおよびＣＥＣコマンドを受信する。また、ＨＤＭＩインターフェース１０６は、ＨＤＭＩケーブルを介して接続された機器に対して、ＣＥＣコマンドを送信する。
【００４５】
入力切替部１０７には、デジタル放送受信部１０５によって受信された放送番組、及び、ＨＤＭＩインターフェース１０６によって受信されたコンテンツデータが入力される。入力切替部１０７は、放送番組及びコンテンツデータのうちの何れか１つを選択し、フレームメモリ１０８に供給する。なお、入力切替部１０７が放送番組及びコンテンツデータの何れを選択するかは、制御部１０４によって制御されればよい。
【００４６】
フレームメモリ１０８は、入力切替部１０７から供給される放送番組、又はコンテンツデータを構成する映像データ（入力画像データ）、及び音声データを一時的に格納する記憶部である。なお、フレームメモリ１０８に一時的に格納されている音声データは、音声処理部（不図示）によって読み出され、スピーカ（不図示）を介して出力される。なお、音声処理部は、音声データに対して、音量調整処理、及び、音質調整処理などを施しても良い。
【００４７】
ヒストグラム解析部１０９は、フレームメモリ１０８に一時的に格納されている入力画像データのヒストグラムを解析する。ヒストグラム解析部１０９は、入力画像データのヒストグラムの解析結果を画質演算処理部１１０及び検出部１１２に供給する。
【００４８】
画質演算処理部１１０は、ヒストグラム解析部１０９から供給される解析結果に基づき、入力画像データに施す画質調整処理の値（画質調整処理値）を算出する。画質演算処理部１１０は、算出した画質調整処理値を映像処理部１１１に供給する。なお、画質調整処理とは、例えば、入力画像データを加工することによって、その入力画像データが表す画像の輝度、シャープネス、および、コントラストの少なくとも何れかを変更することを指す。
【００４９】
映像処理部１１１は、画質演算処理部１１０から供給される画質調整処理値、及び、黒制御部１１３から供給される黒階調補正処理値に従い、フレームメモリ１０８から読み出した入力画像データに対して画質調整処理、黒階調補正処理、及び、スケーリング処理などを施す。映像処理部１１１は、画質調整処理、黒階調補正処理、及び、スケーリング処理などを施した入力画像データをＬＣＤコントローラ１１４に供給する。
【００５０】
なお、スケーリング処理とは、入力画像データを加工することによって、その入力画像データが表す画像のサイズを相似拡大または相似縮小することを指す。また、映像処理部１１１がサイズをどのように変更するかは、制御部１０４によって制御されればよい。
【００５１】
検出部１１２は、図１に示すように、黒エリア検出部１２１、及び、ＡＰＬ（平均輝度レベル：Average Picture Level）検出部１２２を備えている。
【００５２】
黒エリア検出部１２１は、ヒストグラム解析部１０９から供給される解析結果に基づき、１フレームの入力画像データに対する、所定の階調以下の階調値（黒レベル）（以降、黒エリアとも呼称する）の割合を検出する。なお、所定の階調としては、例えば、４階調などを例に挙げることができるが、特に限定されるものではなく、３階調などとしてもよい。
【００５３】
ＡＰＬ検出部１２２は、ヒストグラム解析部１０９から供給される解析結果に基づき、平均輝度レベルを検出する。
【００５４】
検出部１１２は、黒エリア検出部１２１によって検出された黒エリアの割合を示す情報（黒エリア情報）、及び、ＡＰＬ検出部１２２によって検出された平均輝度レベルを、それぞれ、黒制御部１１３に供給する。
【００５５】
黒制御部１１３は、制御部１０４から供給されるユーザ情報及び環境照度、並びに、検出部１１２から供給される黒エリア情報及び平均輝度レベルに基づき、入力画像データに施す黒階調補正処理とバックライト１１６の輝度の調整処理とを連動させるよう、入力画像データの黒レベルとバックライト１１６の輝度とを制御する。
【００５６】
また、黒制御部１１３は、入力画像データの黒レベルとバックライト１１６の輝度とを制御するため、図１に示すように、黒階調補正制御部（階調値補正手段）１３１、黒レベル補正指示部（階調値補正手段）１３２、及び、バックライト制御部（バックライト制御手段）１３３を備えている。
【００５７】
黒階調補正制御部１３１は、検出部１１２から供給される黒エリア情報、及び、平均輝度レベルに基づき、入力画像データに施す黒レベルの調整処理の値である黒レベル調整処理値、及び、バックライト１１６の輝度を調整するバックライト輝度調整値を算出する。黒階調補正制御部１３１は、算出した黒レベル調整処理値を黒レベル補正指示部１３２に供給し、バックライト輝度調整値をバックライト制御部１３３に供給する。
【００５８】
黒レベル補正指示部１３２は、映像処理部１１１に黒レベル調整処理値を供給することによって、入力画像データに対する黒レベル調整を指示する。なお、本実施形態では、黒階調補正制御部１３１及び黒レベル補正指示部１３２によって、階調値補正手段が実現されている。
【００５９】
バックライト制御部１３３は、バックライト輝度調整値に従って、バックライト１１６の輝度を調整する。なお、バックライト制御部１３３は、黒レベル補正指示部１３２からの指示によって黒レベルが調整された入力画像データがＬＣＤコントローラ１１４によってＬＣＤ１１５に表示されるタイミングと同期して、バックライト１１６の輝度を調整する。
【００６０】
ＬＣＤコントローラ１１４は、映像処理部１１１から供給される入力画像データをＬＣＤ１１５に表示するよう、ＬＣＤ１１５を駆動する。
【００６１】
（カメラの構成）
カメラ２０は、図１に示すように、レンズ２０１、ＣＭＯＳイメージセンサ２０２、エンコーダ２０３、ＣＰＵ２０４、及び、ＵＳＢインターフェース２０５を備えている。
【００６２】
ＣＭＯＳイメージセンサ２０２は、ＣＰＵ２０４からの撮像指示に従い、レンズ２０１を介して得られた映像を撮像し、撮像データを生成する。ＣＭＯＳイメージセンサ２０２は、生成した撮像データをエンコーダ２０３に供給する。また、エンコーダ２０３は、供給された撮像データを画像データに変換する。以降では、ＣＭＯＳイメージセンサ２０２による撮像、及び、エンコーダ２０３による撮像データの画像データへの変換を、単に撮像処理とも呼称する。
【００６３】
ＣＰＵ２０４は、カメラ２０の各部を制御すると共に、ＣＭＯＳイメージセンサ２０２及びエンコーダ２０３による撮像処理を制御する。また、ＣＰＵ２０４は、テレビ１０の備える制御部１０４から撮像指示を取得すると、ＣＭＯＳイメージセンサ２０２に対し、撮像指示を通知する。
【００６４】
ＵＳＢインターフェース２０５は、ＵＳＢ機器をカメラ２０に接続するためのインターフェースである。カメラ２０は、ＵＳＢインターフェースに接続されるＵＳＢケーブル（不図示）を介してテレビ１０に接続される。
【００６５】
なお、本実施形態では、カメラ２０における撮像は、テレビ１０の備える制御部１０４からの指示に従って行われる構成を例に挙げて説明するが、テレビ１０の指示によらず、定期的に行われる構成を採用してもよい。
【００６６】
（リモコンの構成）
リモコン３０は、図１に示すように、リモコン信号送信部３０１、赤外線発光部（発光部）３１１、及び、赤外線発光部３１２を備えている。
【００６７】
リモコン信号送信部３０１は、リモコン信号を赤外線発光部３１１、３１２を介して送信する。リモコン信号としては、例えば、何れのチャンネルを介して伝送される放送番組を受信するかを指示するリモコン信号、及び、テレビ１０の電源のＯＮ／ＯＦＦの切り替えを指示するリモコン信号などを例に挙げることができる。
【００６８】
なお、リモコン信号は、赤外線発光部３１１から出力されてもよいし、赤外線発光部３１２から出力されてもよいし、赤外線発光部３１１及び３１２の双方から出力されてもよい。
【００６９】
なお、リモコン３０が赤外線発光部を２つ備えている場合を例に挙げて説明するが、本実施形態はこれに限定されるものではなく、例えば、赤外線発光部を３つ以上備えている構成を採用してもよい。
【００７０】
〔リモコン信号の送信〕
次に、リモコン３０から送信されるリモコン信号について、図２及び図３を参照して説明する。
【００７１】
（リモコン信号）
まず、リモコン３０から送信されるリモコン信号について、図２を参照して説明する。図２は、本実施形態に係るリモコン３０から送信されるリモコン信号の波形の一例を示す図である。図２（ａ）は、ユーザによって選局されたチャンネルを示すリモコン信号を示し、（ｂ）は、リモコン３０に備えられている赤外線発光部３１１と３１２との間の距離を示すリモコン信号を示している。
【００７２】
リモコン３０は、何れかのチャンネルを選局するためのユーザ指示を、リモコン３０の備えるテンキー（不図示）に含まれる「２」ボタン（ＣＨ２のキー）の押下によって受け付けると、図２（ａ）に示すように、ユーザによって選局されたチャンネルを示すリモコン信号を送信する。
【００７３】
図２（ａ）に示すように、ユーザによって選局されたチャンネルを示すリモコン信号（以降、リモコン選局信号とも呼称する）には、リーダー部、リモコン３０のメーカを示すカスタムコード、選局されたチャンネルを示すＣＨデータコード、及び、ストップビットが含まれている。
【００７４】
カスタムコードには、メーカを示すカスタムコード１、及び、カスタムコード１のビットデータを反転させたカスタムコード２が含まれている。また、ＣＨデータコードには、選局されたチャンネルを示すＣＨデータ、及び、ＣＨデータのビットデータを反転させた反転データが含まれている。
【００７５】
テレビ１０は、カスタムコードを参照することによって、リモコン３０のメーカを判定することができ、また、データコードを参照することによって、選局されたチャンネルを判定することができる。
【００７６】
また、図２（ｂ）に示すように、赤外線発光部３１１と３１２との間の距離を示すリモコン信号（以降、リモコン距離信号とも呼称する）には、リーダー部、リモコン３０のメーカを示すカスタムコード、赤外線発光部３１１と３１２との間の距離を示す距離データコード、及び、ストップビットが含まれている。
【００７７】
また、距離データコードには、赤外線発光部３１１と３１２との間の距離（赤外線発光部間の配置距離）を示す距離データ、及び、距離データのビットデータを反転させた反転データが含まれている。テレビ１０は、距離データコードを参照することによって、赤外線発光部３１１と３１２との間の距離を判定することができる。
【００７８】
（リモコン信号送信処理）
次に、リモコン３０におけるリモコン信号送信処理の流れを、図３を参照して説明する。図３は、本実施形態に係るリモコン３０における、リモコン信号送信処理の流れを示すフローチャートである。
【００７９】
図３に示すように、例えば、ユーザによるリモコン３０の備えるテンキーに含まれる「２」ボタン（ＣＨ２を選局するボタン）の押下を受け付けると（ステップＳ１０１）、リモコン３０は、図２（ａ）に示すチャンネル２が選局されたことを示すリモコン選局信号を送信する（ステップＳ１０２）。
【００８０】
リモコン選局信号を送信すると、リモコン３０は、図２（ｂ）に示すリモコン距離信号を送信する（ステップＳ１０３）。
【００８１】
なお、図３では、リモコン３０の備える「２」ボタンが１度押下された場合を例に挙げて説明したが、例えば、「２」ボタンが長押しされる場合には、長押しされている間、チャンネル２が選局されたことを示すリモコン選局信号と、リモコン距離信号とを交互に送信し続ければよい。
【００８２】
〔ユーザ位置検出〕
次に、テレビ１０の備える制御部１０４におけるユーザ位置（ユーザ距離、及び、ユーザ角度）の検出について、図４から図６を参照して説明する。図４は、カメラ２０によって撮像された画像データに含まれるリモコン３０を模式的に示す図である。図５は、本実施形態に係る表示システム１におけるテレビ１０及びリモコン３０と、ユーザ位置との関係を模式的に示す図である。
【００８３】
図４に示すように、リモコン３０に備えられている赤外線発光部３１１と３１２との間の距離を３ｃｍとする。また、図５に示すように、テレビ１０の中心からリモコン３０までの距離（ユーザまでの距離に相当）をｄとし、ＬＣＤ１１５の法線方向と、ＬＣＤ１１５を基点とするリモコン３０の方向との水平方向に沿ったなす角度をユーザ角度θとする。さらに、図５に示すように、テレビ１０の中心を原点として、テレビ１０の有するＬＣＤ１１５に垂直な方向をｙ軸、ＬＣＤ１１５の長手方向に平行な方向をｘ軸とする。
【００８４】
（ユーザ位置検出処理）
次に、制御部１０４におけるユーザ位置の検出処理の流れについて、図６を参照して説明する。図６は、本実施形態に係るテレビ１０の備える制御部１０４におけるユーザ位置検出処理の流れを示すフローチャートである。
【００８５】
図６に示すように、テレビ１０は、リモコン受光部１０２によって、リモコン３０からリモコン信号を受信すると（ステップＳ２０１）、受信したリモコン信号を制御部１０４に供給する。
【００８６】
制御部１０４は、供給されたリモコン信号のうち、リモコン選局信号に含まれるＣＨデータコードを参照し、デジタル放送受信部１０５においてＣＨデータコードの示すチャンネルを介して伝送される放送番組が受信されるようにチャンネルを切り替える選局処理を実行する（ステップＳ２０２）。
【００８７】
また、制御部１０４は、リモコン信号が供給されると、カメラ２０に対し、撮像指示を通知する（ステップＳ２０３）。カメラ２０は、制御部１０４から通知される撮像指示に従って撮像処理を実行する。カメラ２０は、撮像処理において生成した画像データを制御部１０４に供給する。
【００８８】
画像データを取得すると（ステップＳ２０４）、制御部１０４の画像認識部１４１は、取得した画像データに含まれるリモコン３０の赤外線発光部３１１、３１２を検出する（ステップＳ２０５）。画像認識部１４１は、赤外線発光部３１１、３１２が検出された画像データをユーザ位置検出部１４２に供給する。
【００８９】
ユーザ位置検出部１４２は、供給された画像データから、赤外線発光部３１１、３１２のそれぞれの位置の座標（図５に示すｘｙ座標系上の座標）を検出する（ステップＳ２０６）。
【００９０】
また、ユーザ位置検出部１４２は、リモコン受光部から供給されたリモコン信号のうち、リモコン距離信号に含まれる距離データコードを参照することによって、赤外線発光部間の配置距離の実際の長さを取得する。
【００９１】
ユーザ位置検出部１４２は、検出した赤外線発光部３１１、３１２の座標と、リモコン距離信号から取得した赤外線発光部間の配置距離に基づいて、テレビ１０とユーザとの距離（ユーザ距離）ｄを算出し（ステップＳ２０７）、テレビ１０に対するユーザの視聴角度（ユーザ角度）θを算出する（ステップＳ２０８）。
【００９２】
ユーザ位置検出部１４２は、算出したユーザ距離ｄ及びユーザ角度θを、テレビ１０の備えるメモリ（不図示）に格納する（ステップＳ２０９）と共に、すでにメモリに格納されているユーザ距離ｄ及びユーザ角度θに累積加算し、ユーザ距離ｄ及びユーザ角度θのそれぞれの平均値を算出する（ステップＳ２１０）。
【００９３】
ユーザ位置検出部１４２は、算出したユーザ距離ｄ及びユーザ角度θの各平均値に基づいて、ユーザ距離及びユーザ角度を確定し、ユーザ位置を特定する（ステップＳ２１１）。
【００９４】
なお、本実施形態においては、ユーザ位置検出処理は、図６に示すように、リモコン信号を受信したことを契機として実行される構成を例に挙げて説明したが、例えば、リモコン信号によらず、ステップＳ２０４〜Ｓ２１１までの処理を定期的に繰り返すことによって実行される構成を採用してもよい。
【００９５】
〔黒レベル補正〕
次に、本実施形態に係るテレビ１０の備える黒制御部１１３における黒レベル補正について、図７から図９を参照して説明する。
【００９６】
（各条件に対する黒階調補正値）
まず、ユーザ位置、環境照度などの各条件に応じて黒レベルを調整するための、黒階調補正値について、図７を参照して説明する。図７は、本実施形態に係る黒制御部１１３において参照される、各条件に対する黒階調補正値を示すグラフである。なお、図７では、黒レベルの補正を行わない場合のグラフを実線で示し、黒レベルの補正を行う場合のグラフを破線で示している。
【００９７】
図７（ａ）は、ユーザ角度に応じた黒階調補正値を示しており、黒階調補正値は、ユーザ角度が大きくなるにつれて、黒レベルの階調値を増大させるように設定されている。具体的には、図７（ａ）に示すように、黒階調補正値は、ユーザ角度が０°である場合には「０」で一定であり、ユーザ角度が０°から左右共に３０°まで増加するに従って「０」から「＋４」まで徐々に増加し、ユーザ角度が左右共に３０°以上の範囲では「＋４」で一定となる。
【００９８】
図７（ｂ）は、ユーザ距離に応じた黒階調補正値を示しており、黒階調補正値は、ユーザ距離が大きくなる（ＬＣＤ１１５からユーザまでの距離が離れる）につれて、黒レベルの階調値を増大させるように設定されている。具体的には、図７（ｂ）に示すように、黒階調補正値は、ユーザ距離が０（ｍ）である場合には「０」であり、ユーザ距離が０（ｍ）から３Ｈ（ｍ）まで増加するに従って「０」から「＋４」まで徐々に増加し、ユーザ距離が３Ｈ（ｍ）以上の範囲では「＋４」で一定となる。なお、「Ｈ」は、テレビ１０の備えるＬＣＤ１１５の垂直方向の長さ（いわゆる、画面の高さ）を示している。
【００９９】
図７（ｃ）は、環境照度に応じた黒階調補正値を示しており、黒階調補正値は、環境照度が低くなるにつれて、黒レベルの階調値を増大させるように設定されている。具体的には、図７（ｃ）に示すように、黒階調補正値は、環境照度が７５（ｌｘ）以上の範囲では「０」で一定であり、環境照度が７５（ｌｘ）から３０（ｌｘ）まで減少するにつれて「０」から「＋４」まで徐々に増加し、環境照度が３０（ｌｘ）以下の範囲では「＋４」で一定となる。
【０１００】
図７（ｄ）は、黒レベルの階調値（黒エリア）の割合に応じた黒階調補正値を示しており、入力画像データに黒エリアが所定の割合以上含まれている場合、黒レベルの階調値の割合が増えるにつれて、黒レベルの階調値を増大させるように設定されている。具体的には、図７（ｄ）に示すように、黒階調補正値は、黒領域が７５％以下の範囲では「０」で一定であり、黒領域が７５％から８５％まで増加するに従って「０」から「＋４」まで徐々に増加し、８５％以上の範囲では「＋４」で一定となる。
【０１０１】
図７（ｅ）は、平均輝度レベルに応じた黒階調補正値を示しており、入力画像データの平均輝度レベルの値が小さくなるにつれて、黒レベルの階調値を増大させるように設定されている。具体的には、図７（ｅ）に示すように、平均輝度レベルの値が３０％以上の範囲では「０」であり、平均輝度レベルの値が３０％から０％まで減少するにつれて「０」から「＋４」まで徐々に増加する。
【０１０２】
なお、本実施形態では、図７に示す各条件に対する黒階調補正値が、テレビ１０の備える記憶部（不図示）に黒階調補正値テーブルとして予め格納されている構成を例に挙げて説明するが、これに限定されず、黒レベルの階調値の調整を実行する度に黒制御部１１３において算出される構成を採用してもよい。
【０１０３】
なお、以降では、図７（ａ）に示すユーザ角度に対する黒階調補正値を表す黒階調補正値テーブルを黒階調補正値テーブルａ、（ｂ）に示すユーザ距離に対する黒階調補正値を表す黒階調補正値テーブルを黒階調補正値テーブルｂ、（ｃ）に示す環境照度に対する黒階調補正値を表す黒階調補正値テーブルを黒階調補正値テーブルｃ、（ｄ）に示す黒領域の割合に対する黒階調補正値を表す黒階調補正値テーブルを黒階調補正値テーブルｄ、（ｅ）に示す平均輝度レベルに対する黒階調補正値を表す黒階調補正値テーブルを黒階調補正値テーブルｅと呼称する。
【０１０４】
黒制御部１１３の黒階調補正制御部１３１は、制御部１０４から供給されるユーザ位置情報、環境照度、並びに、検出部１１２から供給される黒エリア情報及び平均輝度レベルに基づき、黒階調補正値テーブルａ〜ｅを参照して、最終的に入力画像データの黒階調を補正するための黒階調補正値（黒階調補正処理値とも呼称する）を生成する。
【０１０５】
黒階調補正制御部１３１は、生成した黒階調補正処理値を黒レベル補正指示部１３２に供給し、黒レベル補正指示部１３２は、供給された黒階調補正処理値を映像処理部１１１に供給する。
【０１０６】
例えば、黒階調補正制御部１３１は、入力画像データに黒エリアが所定の割合（例えば、７５％）以上含まれており、環境照度が所定の照度（例えば、７５ｌｘ）以下であるときに、黒階調補正値テーブルａ、黒階調補正値テーブルｃ、及び、黒階調補正値テーブルｄを参照して、黒階調補正処理値を生成する。
【０１０７】
映像処理部１１１は、黒レベル補正指示部１３２から供給される黒階調補正処理値に従って、入力画像データに含まれる黒階調の階調値を補正する。また、映像処理部１１１は、黒階調の補正値を補正した入力画像データをＬＣＤコントローラ１１４に供給し、ＬＣＤコントローラ１１４は供給された入力画像データが表示されるようＬＣＤ１１５を駆動する。
【０１０８】
これによって、テレビ１０は、ユーザがＬＣＤ１１５を視る角度に応じてＬＣＤ１１５に表示される黒色をより均一にすることができるため、ＬＣＤ１１５を斜め方向から視るユーザに対しても、輝度ムラ及び色ムラを低減した黒色を提示することができる。また、テレビ１０、環境照度が明るく、輝度ムラ及び色ムラの目立たない場合には黒階調の階調値の補正を行わないため、輝度ムラ及び色ムラの低減の際に必要な電力が無断に消費されることを防ぐことができる。
【０１０９】
なお、黒階調補正値テーブルａ〜ｅの何れか２つ以上を参照する場合、黒階調補正処理値の最大値は、各黒階調補正値テーブルの黒階調補正値を加算した値としてもよいし、各黒階調補正値テーブルの黒階調補正値を加算した値が「＋４」を超えるときには「＋４」を最大値としてもよい。
【０１１０】
なお、各条件に対する黒階調補正値の値は、図７に示す値に特に限定されるものではなく、例えば、入力画像データのジャンル（例えば、映画、スポーツなど）などによって変化する構成を採用してもよい。これによって、テレビ１０は、ジャンルに応じて最適な黒階調補正をすることができる。
【０１１１】
（黒階調補正とバックライト制御との連動）
次に、黒レベル補正指示部１３２によって指示される黒階調補正処理値に従って映像処理部１１１によって補正（増加）された入力画像データの黒階調の分だけ増大した輝度を相殺するようにバックライトの輝度を低下させることによって、見かけ上の輝度を略一定に保つ構成について、図８を参照して説明する。図８は、入力階調に対する輝度値を示すグラフである。
【０１１２】
図８（ａ）は、黒レベル補正指示部１３２によって指示される、入力階調に対する黒階調補正処理値を示し、（ｂ）は、黒階調補正処理値に応じて低下されるバックライト輝度の、入力階調に対するバックライトの発光率を示している。また、図８（ｃ）は、γ＝１．０である場合の、入力階調に対するＬＣＤ１１５の輝度、（ｄ）は、γ＝２．２である場合の、入力階調に対するＬＣＤ１１５の輝度、（ｅ）は、バックライト輝度の制御を行った場合の、入力階調に対するＬＣＤ１１５の輝度を示している。なお、図８では、黒レベルの補正が行われない場合のグラフを実線で示し、黒レベルの補正が行われる場合のグラフを破線で示している。
【０１１３】
映像処理部１１１は、図８（ａ）に示す黒階調補正処理値に基づいて入力画像データの黒レベルを調整することによって、（ｃ）に示すような入力階調に対する輝度を有する入力画像データを生成する。映像処理部１１１は、さらに、入力画像データのガンマ特性がγ＝１からγ＝２．２となるようガンマ補正を施すことによって、図８（ｄ）に示すような、入力階調に対する輝度を有する入力画像データを生成する。
【０１１４】
映像処理部１１１は、図８（ｄ）に示すような、入力階調に対する輝度特性を有する入力画像データをＬＣＤコントローラ１１４に供給し、ＬＣＤコントローラ１１４は供給された入力画像データを表示するようＬＣＤ１１５を駆動する。
【０１１５】
このとき、バックライト制御部１３３は、図８（ｂ）に示すように、（ａ）に示す黒階調補正処理値に応じてバックライト１１６の発光率を低下させることにより、バックライト１１６の輝度を低下させる。
【０１１６】
これによって、バックライト制御部１３３は、増大した入力画像データの黒階調の値の分だけ増大した輝度を、バックライト１１６の輝度を低下させることによって相殺し、図８（ｅ）に示すように、見かけ上の輝度を略同じにすることができる。
【０１１７】
図９（ａ）に示す、通常行われる黒表示と比較して、上述した黒レベルの補正を行うと共に、バックライト１１６の輝度を制御することによって黒表示した場合には、図９（ｂ）に示すように、黒色の輝度ムラ及び色ムラを低減すると共に、見かけ上の輝度を略同じ輝度に保つことができる。このように、上述の構成によって、テレビ１０は、入力画像データの表す黒色の輝度ムラ及び色ムラを低減すると共に、略同じ見かけ上の輝度でユーザに提示することができる。
【０１１８】
なお、本実施形態において、カメラ２０がテレビ１０とＵＳＢケーブルを介して接続されている場合を例に挙げて説明したが、本実施形態はこれに限定されるものではない。
【０１１９】
例えば、図１０に示すように、カメラ２０’がテレビ１０に内蔵されている構成を採用してもよい。図１０は、本実施形態に係る表示システム１’の概略の一例を示す図である。
【０１２０】
＜変形例＞
遠隔制御装置がリモコン３０によって実現されている場合を例に挙げて説明したが、本実施形態はこれに限定されるものではなく、例えば、スマートフォンによって実現される構成を採用してもよい。
【０１２１】
遠隔制御装置がスマートフォンによって実現されている場合について、図１１から図１３を参照して説明する。なお、説明の便宜上、本実施形態に係る構成要素と同様の機能を有する構成要素には同一の番号を付し、その説明を省略する。
【０１２２】
図１１は、本変形例に係るカメラ２０によって撮像された画像データに含まれるスマートフォン（遠隔制御装置）４０を模式的に示す図である。図１２は、本実施形態の変形例に係る表示システム２の概略の一例を示す図である。
【０１２３】
本変形例に係る表示システム２は、図１２に示すように、テレビ１０、カメラ２０、スマートフォン４０、及び、無線ルーター４５を備えている。
【０１２４】
スマートフォン４０は、無線信号送信部４０１、ＬＥＤ（発光部）４１１、４１２、及び、ＬＥＤ発光制御部４１３を備えている。また、テレビ１０は、無線信号受信部（取得手段）１１８をさらに備えている。
【０１２５】
無線信号送信部４０１は、無線ルーター４５を介して無線信号をテレビ１０に送信する。なお、送信される無線信号は、図２に示すリモコン信号と同様の信号である。テレビ１０は、無線信号送信部４０１から無線ルーター４５を介して送信された無線信号を、無線信号受信部１１８において受信する。
【０１２６】
ＬＥＤ発光制御部４１３は、無線信号送信部４０１から無線信号が送信される際に、ＬＥＤ４１１及び４１２を発光させる。なお、スマートフォン４０がＬＥＤを２つ備えている場合を例に挙げて説明するが、本変形例はこれに限定されるものではなく、例えば、ＬＥＤを３つ以上備えている構成を採用してもよい。
【０１２７】
（ユーザ位置検出）
図１１に示すように、スマートフォン４０に備えられているＬＥＤ４１１と４１２との間の距離を２ｃｍとする。
【０１２８】
このとき、無線信号送信部４０１からは、ＬＥＤ４１１と４１２との間の距離が２ｃｍであることを示すデータを含んだ無線信号（無線距離信号）が送信される。無線距離信号には、図２に示すリモコン距離信号と同様、送信される無線信号に含まれる距離データコードには、ＬＥＤ４１１と４１２との間の距離が２ｃｍであることを示す距離データ、及び、距離データのビットデータを反転させた反転データが含まれている。
【０１２９】
次に、スマートフォン４０における無線信号送信処理の流れを、図１３を参照して説明する。図１３は、本実施形態の変形例に係るスマートフォン４０における、無線信号送信処理の流れを示すフローチャートである。
【０１３０】
図１３に示すように、ユーザによるチャンネル２を選局するボタンの押下を受け付けると（ステップＳ３０１）、スマートフォン４０の備えるＬＥＤ発光制御部４１３は、ＬＥＤ４１１及び４１２を発光する（ステップＳ３０２）。
【０１３１】
ＬＥＤ４１１及び４１２を発光させると、スマートフォン４０は、図２（ａ）に示すリモコン選局信号と同様の、チャンネル２が選局されたことを示す無線選局信号を送信する（ステップＳ３０３）。
【０１３２】
無線選局信号を送信すると、スマートフォン４０は、図２（ｂ）に示すリモコン距離信号と同様の、無線距離信号を送信する（ステップＳ３０４）。
【０１３３】
なお、スマートフォン４０におけるユーザによるチャンネル２を選局するボタンの押下の受け付けは、例えば、スマートフォン４０の備えるタッチパネル（不図示）に表示される「２」ボタンをユーザがタッチしたことを検出することによって受け付けられればよい。
【０１３４】
また、図１３では、スマートフォン４０の備える「２」ボタンが１度押下された場合を例に挙げて説明したが、例えば、「２」ボタンが長押しされる場合には、スマートフォン４０は、長押しされている間、チャンネル２が選局されたことを示す無線選局信号と、無線距離信号とを交互に送信し続ければよい。
【０１３５】
これによって、遠隔制御装置がスマートフォン４０である場合にも、リモコン３０である場合と同様に、入力画像データの黒レベルを調整することができる。
【０１３６】
〔プログラム、記憶媒体〕
テレビ１０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３７】
後者の場合、テレビ１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１０の制御プログラムのプログラムコード（実行形式プログラム、中間コードプログラム、ソースプログラム）をコンピュータで読み取り可能に記録した記録媒体を、テレビ１０に供給し、そのコンピュータ（またはＣＰＵやＭＰＵ）が記録媒体に記録されているプログラムコードを読み出し実行することによっても、達成可能である。
【０１３８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１３９】
また、上記プログラムコードは、通信ネットワークを介してテレビ１０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が使用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも使用可能である。
【０１４０】
なお、本発明は上述した実施形態に限定されるものではなく、請求項に示した範囲で種々の変更が可能である。
【産業上の利用可能性】
【０１４１】
本発明に係る表示装置は、ＬＥＤを駆動させるＬＥＤドライバ装置に好適に適用することができる。また、照明装置、表示装置、テレビジョン受像機、スマートフォン、携帯電話、デジタルカメラ、及び、電子黒板などに好適に適用することができる。
【符号の説明】
【０１４２】
１、１’、２    表示システム
１０            テレビ（表示装置）
２０、２０’    カメラ
３０            リモコン（遠隔制御装置）
４０            スマートフォン（遠隔制御装置）
４５            無線ルーター
１０１          ＵＳＢインターフェース
１０２          リモコン受光部（取得手段）
１０３          照度センサ
１０４          制御部
１０５          デジタル放送受信部
１０６          ＨＤＭＩインターフェース
１０７          入力切替部
１０８          フレームメモリ
１０９          ヒストグラム解析部
１１０          画質演算処理部
１１１          映像処理部
１１２          検出部
１１３          黒制御部
１１４          ＬＣＤコントローラ
１１５          ＬＣＤ（ディスプレイ）
１１６          バックライト
１１８          無線信号受信部（取得手段）
１２１          黒エリア検出部
１２２          ＡＰＬ検出部
１３１          黒階調補正制御部（階調値補正手段）
１３２          黒レベル補正指示部（階調値補正手段）
１３３          バックライト制御部（バックライト制御手段）
１４１          画像認識部（識別手段）
１４２          ユーザ位置検出部（角度検出手段、距離算出手段）
１４３          環境照度判定部（照度検出手段）
２０１          レンズ
２０２          ＣＭＯＳイメージセンサ
２０３          エンコーダ
２０４          ＣＰＵ
２０５          ＵＳＢインターフェース
３０１          リモコン信号送信部
３１１、３１２  赤外線発光部（発光部）
４０１          無線信号送信部
４１１、４１２  ＬＥＤ（発光部）
４１３          ＬＥＤ発光制御部
【図１】
2013242491.tif 000003
【図２】
2013242491.tif 000004
【図３】
2013242491.tif 000005
【図４】
2013242491.tif 000006
【図５】
2013242491.tif 000007
【図６】
2013242491.tif 000008
【図７】
2013242491.tif 000009
【図８】
2013242491.tif 000010
【図１０】
2013242491.tif 000011
【図１１】
2013242491.tif 000012
【図１２】
2013242491.tif 000013
【図１３】
2013242491.tif 000014
【図９】
2013242491.tif 000015